(57)【要約】      （修正有）【課題】デッキカバーと欄干本体との間の隙間を容易にかつより確実に塞ぐことができ、意匠性の低下を抑制することができる乗客コンベヤの欄干を得る。【解決手段】欄干本体の下部は、デッキカバーによって覆われている。欄干本体の側面とデッキカバーとの間の隙間は、パッキン７によって塞がれている。パッキン７は、欄干本体の側面に対向するパッキン本体２１と、パッキン本体２１から欄干本体側へ突出し、パッキン本体２１よりも厚さが薄くされた突出片２２とを有している。突出片２２は、欄干本体の側面に押し付けられることにより、欄干本体の側面に合わせて弾性変形される。【選択図】図４
2010228902.tif 000002
【特許請求の範囲】
【請求項１】
乗客コンベヤの長手方向に沿って配置され、移動手摺を支持する欄干本体、
上記欄干本体の下部を覆うデッキカバー、及び
上記欄干本体の側面と上記デッキカバーとの間の隙間を塞ぐパッキン
を備え、
上記パッキンは、上記欄干本体の側面に対向するパッキン本体と、上記パッキン本体から上記欄干本体側へ突出し、上記パッキン本体よりも厚さが薄くされた突出片とを有し、
上記突出片は、上記欄干本体の側面に押し付けられることにより、上記欄干本体の側面の形状に合わせて弾性変形されることを特徴とする乗客コンベヤの欄干。
【請求項２】
上記パッキン本体には、上記欄干本体の側面に押されて弾性変形される上記突出片が収容される凹部が設けられていることを特徴とする請求項１に記載の乗客コンベヤの欄干。
【請求項３】
上記パッキンは、上記パッキン本体と上記突出片との間の境界部でくびれており、
上記突出片は、上記境界部を基準として上記パッキン本体から切り離し可能になっていることを特徴とする請求項１又は請求項２に記載の乗客コンベヤの欄干。
【発明の詳細な説明】
【技術分野】
【０００１】
この発明は、例えばエスカレータや動く歩道等において踏段と同期して移動される移動手摺を支持する乗客コンベヤの欄干に関するものである。
【背景技術】
【０００２】
従来、例えばトラス内への異物の落下の防止や意匠性の向上等を図るために、移動手摺を支持する欄干パネルの下端部がデッキカバーで覆われている乗客コンベヤが提案されている。欄干パネルとデッキカバーとの間の隙間は、デッキカバーに沿ったパッキンにより塞がれている。パッキンは、デッキカバーに装着された状態で欄干パネルに押し付けられている（例えば特許文献１参照）。
【先行技術文献】
【特許文献】
【０００３】
【特許文献１】実開昭６１−１６３２８２号公報
【発明の概要】
【発明が解決しようとする課題】
【０００４】
しかし、乗客コンベヤの長手方向へ並べられた複数の欄干パネルによって乗客コンベヤの欄干が構成されている場合には、各欄干パネル間の境界に段差が生じることがある。このような場合には、パッキンの側面を欄干パネルに押し付けても、パッキン全体を段差に合わせて曲げることが困難であるので、段差の部分でパッキンと欄干パネルとの間に隙間が生じてしまう。また、段差の部分での隙間を塞ぐために、例えばパッキンを段差の部分で切断すること等によって分割した複数のパッキンをパネルごとに接触させる方法も考えられるが、意匠性が低下したり部品点数が増加したりするだけでなく、複数のパッキンをパネルごとに接触させる作業にも手間がかかってしまう。
【０００５】
この発明は、上記のような課題を解決するためになされたものであり、デッキカバーと欄干本体との間の隙間を容易にかつより確実に塞ぐことができ、意匠性の低下を抑制することができる乗客コンベヤの欄干を得ることを目的とする。
【課題を解決するための手段】
【０００６】
この発明に係る乗客コンベヤの欄干は、乗客コンベヤの長手方向に沿って配置され、移動手摺を支持する欄干本体、欄干本体の下部を覆うデッキカバー、及び欄干本体の側面とデッキカバーとの間の隙間を塞ぐパッキンを備え、パッキンは、欄干本体の側面に対向するパッキン本体と、パッキン本体から欄干本体側へ突出し、パッキン本体よりも厚さが薄くされた突出片とを有し、突出片は、欄干本体の側面に押し付けられることにより、欄干本体の側面の形状に合わせて弾性変形される。
【発明の効果】
【０００７】
この発明に係る乗客コンベヤの欄干では、突出片の厚さがパッキン本体の厚さよりも薄くされ、突出片が欄干本体の側面に押し付けられるので、突出片が弾性変形されやすくなり、欄干本体の側面とデッキカバーとの間の隙間をより確実に塞ぐことができる。また、欄干本体の側面に生じる段差と交差する位置にパッキンが配置される場合であっても、一体とされた共通のパッキンによって隙間を塞ぐことができるので、当該隙間を塞ぐ作業を容易にすることができるとともに、パッキンの分割数を少なくすることができ、意匠性の低下も抑制することができる。
【図面の簡単な説明】
【０００８】
【図１】この発明の実施の形態１によるエスカレータの乗降口を示す斜視図である。
【図２】図１の欄干を示す縦断面図である。
【図３】図２の欄干取付装置を示す斜視図である。
【図４】図２の外側パッキンの欄干本体に対する押し付けが解除されている状態を示す斜視図である。
【図５】図４の外側パッキンを示す側面図である。
【図６】図５のVI部を示す拡大図である。
【図７】図２の外側パッキンが欄干本体の側面に押し付けられている状態を示す斜視図である。
【図８】図７の外側パッキン及び欄干本体を示す上面図である。
【図９】図８のIX-IX線に沿った断面図である。
【図１０】図８のX-X線に沿った断面図である。
【図１１】この発明の実施の形態２によるエスカレータの欄干の外側パッキンに切れ目が入っている状態を示す上面図である。
【図１２】図１１の突出片の一部がパッキン本体から切り離されている状態を示す上面図である。
【図１３】図１２のXIII-XIII線に沿った断面図である。
【図１４】図１２のXIV-XIV線に沿った断面図である。
【図１５】図１２の外側パッキンが欄干本体の側面と外カバーとの間の隙間を塞いでいる状態を示す上面図である。
【図１６】図１５のXVI-XVI線に沿った断面図である。
【図１７】図１５のXVII-XVII線に沿った断面図である。
【図１８】この発明の実施の形態２によるエスカレータの欄干における外側パッキンの他の例を示す側面図である。
【図１９】図１８の外側パッキンが外カバーに取り付けられた状態を示す側面図である。
【図２０】この発明の実施の形態２によるエスカレータの欄干における外側パッキンの他の例を示す側面図である。
【図２１】図２０の内側パッキン及び外側パッキンが欄干取付装置に取り付けられた状態を示す側面図である。
【発明を実施するための形態】
【０００９】
実施の形態１．
図１は、この発明の実施の形態１によるエスカレータの乗降口を示す斜視図である。図において、エスカレータの長手方向に沿って配置されたトラス（主枠）１には、無端状に連結された複数の踏段２が支持されている。また、トラス１の長手方向上端部上には上部乗降口（図示せず）が設けられ、トラス１の長手方向下端部上には下部乗降口が設けられている。なお、図１では下部乗降口が示されている。各踏段２は、トラス１内に設置された駆動機（図示せず）の駆動力によって、上部乗降口及び下部乗降口間を循環移動される。
【００１０】
トラス１上には、トラス１の幅方向について対向する一対の欄干３が設けられている。各欄干３は、トラス１の長手方向に沿って配置されている。各欄干３には、各踏段２と同期して移動される移動手摺４がそれぞれ支持されている。移動手摺４は、欄干３の外周部に沿って移動される。
【００１１】
欄干３は、移動手摺４を支持する欄干本体５と、欄干本体５の下部を覆う金属製のデッキカバー６と、欄干本体５の側面とデッキカバー６との間の隙間を塞ぐパッキン７とを有している。
【００１２】
欄干本体５は、トラス１の長手方向へ並べられた複数の欄干パネル８と、各欄干パネル８に設けられ、移動手摺４の移動を案内する移動手摺レール９とを有している。この例では、各欄干パネル８はガラスにより構成されている。
【００１３】
また、この例では、欄干本体５の一部では、互いに隣り合う欄干パネル８の厚さが異なっている。従って、厚さが異なる欄干パネル８間の境界には段差１０が生じている。段差１０は、欄干本体５の外側面（即ち、欄干本体５の踏段２側とは反対側の面）にのみ生じている。
【００１４】
デッキカバー６及びパッキン７は、各欄干パネル８間の境界と交差する方向に沿って配置されている。この例では、デッキカバー６及びパッキン７は、各欄干パネル８が並べられている方向に沿って配置されている。
【００１５】
図２は、図１の欄干３を示す縦断面図である。また、図３は、図２の欄干取付装置を示す斜視図である。図において、欄干本体５は、複数の欄干取付装置１１を介してトラス１に支持固定されている。欄干取付装置１１は、トラス１に固定されたトラス固定部材１２と、トラス固定部材１２に取り付けられ、欄干パネル８の下端部を把持する把持部１３とを有している。
【００１６】
欄干取付装置１１には、踏段２の側面に対向するスカートガード１４が取付金具１５を介して取り付けられている。トラス１には、欄干取付装置１１よりも踏段２から離れた位置に配置された外側板１６が固定されている。
【００１７】
デッキカバー６は、スカートガード１４に支持された内カバー１７と、外側板１６に支持された外カバー１８とを有している。内カバー１７は欄干本体５とスカートガード１４との間の空間を覆い、外カバー１８は欄干本体５と外側板１６との間の空間を覆っている。
【００１８】
パッキン７は、欄干本体５の内側面と内カバー１７との間の隙間を塞ぐ内側パッキン１９と、欄干本体５の外側面と外カバー１８との間の隙間を塞ぐ外側パッキン２０とを有している。
【００１９】
内側パッキン１９は、内カバー１７によって欄干本体５の内側面に押し付けられている。外側パッキン２０は、外カバー１８によって欄干本体５の外側面に押し付けられている。内側パッキン１９及び外側パッキン２０は、柔軟性及び弾性を有する樹脂により構成されている。内側パッキン１９及び外側パッキン２０を構成する樹脂としては、例えばエラストマ系樹脂（ミラストマ（登録商標）９０２０等）や塩化ビニル系樹脂等が用いられる。
【００２０】
図４は、図２の外側パッキン２０の欄干本体５に対する押し付けが解除されている状態を示す斜視図である。また、図５は、図４の外側パッキン２０を示す側面図である。さらに、図６は、図５のVI部を示す拡大図である。図において、外側パッキン２０は、外カバー１８に取り付けられて欄干本体５の側面に対向するパッキン本体２１と、パッキン本体２１の上側部から欄干本体５側へ突出する突出片２２とを有している。パッキン本体２１及び突出片２２は、外側パッキン２０の長手方向に沿って設けられている。
【００２１】
パッキン本体２１には、外カバー１８が嵌められるカバー取付用溝２３と、突出片２２に沿った凹部２４とが設けられている。カバー取付用溝２３は、パッキン本体２１の長手方向に沿って設けられている。パッキン本体２１は、カバー取付用溝２３に外カバー１８の端部が嵌められることにより外カバー１８に取り付けられている。凹部２４は、パッキン本体２１の欄干本体５に対向する面に設けられている。
【００２２】
突出片２２の厚さは、パッキン本体２１の厚さよりも薄くされている。突出片２２の上面とパッキン本体２１との境界は、滑らかな面となっている。突出片２２の下面とパッキン本体２１との境界には、折れ目として現れた谷部が形成されている。従って、外側パッキン２０の形状は、パッキン本体２１と突出片２２との境界で局部的にくびれた形状となっている。
【００２３】
突出片２２は、外側パッキン２０が欄干本体５の側面に押し付けられることにより、欄干本体５の側面の形状に合わせて弾性変形される。従って、欄干パネル８間の境界に生じる段差１０の部分では、突出片２２は、欄干本体５の側面に押し付けられることにより段差１０に合わせて弾性変形される。
【００２４】
突出片２２の上面は、欄干本体５の側面に対して傾斜している。従って、突出片２２は、欄干本体５の側面に押されて弾性変形されることにより、凹部２４に収容される方向へ変位される。凹部２４の大きさは、突出片２２が完全に収容される大きさとなっている。
【００２５】
この例では、凹部２４の幅寸法ｗが突出片２２の長さ寸法ａ（２ｍｍ）よりも大きくされ、凹部２４の深さ寸法ｄが突出片２２の厚さ寸法ｂと同一の寸法（１ｍｍ）とされている。また、パッキン本体２１の上面に対する突出片２２の上面の傾斜角度θが５〜１０度の範囲内に設定されている。さらに、パッキン本体２１と突出片２２との境界でのくびれ部分の厚さ寸法ｔが０．３〜０．５ｍｍの範囲内に設定されている。
【００２６】
図７は、図２の外側パッキン２０が欄干本体５の側面に押し付けられている状態を示す斜視図である。また、図８は、図７の外側パッキン２０及び欄干本体５を示す上面図である。さらに、図９は図８のIX-IX線に沿った断面図、図１０は図８のX-X線に沿った断面図である。図において、外側パッキン２０が欄干本体５に生じている段差１０に押し付けられている状態では、突出片２２は、段差１０の形状に合わせて弾性変形されることにより、欄干本体５の側面とパッキン本体２１との間の隙間を塞いでいる。
【００２７】
境界に段差１０が生じている２つの欄干パネル８の側面のうち、パッキン本体２１に近い側面に接触する突出片２２の部分は、図１０に示すように、欄干パネル８の側面によって押されて大きく変位され、凹部２４内に収容される。一方、境界に段差１０が生じている２つの欄干パネル８の側面のうち、パッキン本体２１から離れた側面に接触する突出片２２の部分は、図９に示すように、凹部２４内の収容が解除された状態となる。なお、内側パッキン１９の構成は、外側パッキン２０の構成と同様である。
【００２８】
このようなエスカレータの欄干では、突出片２２の厚さがパッキン本体２１の厚さよりも薄くされ、突出片２２が欄干本体５の側面に押し付けられるので、突出片２２が弾性変形されやすくなり、欄干本体５の側面と外カバー１８との間の隙間をより確実に塞ぐことができる。また、外側パッキン２０が段差１０と交差する位置に配置される場合であっても、一体とされた共通の外側パッキン２０によって隙間を塞ぐことができるので、当該隙間を塞ぐ作業を容易にすることができるとともに、外側パッキン２０の分割数を少なくすることができ、意匠性の低下も抑制することができる。内側パッキン１９についても、外側パッキン２０の構成と同様であるので、外側パッキン２０と同様の効果を得ることができる。
【００２９】
また、パッキン本体２１には、欄干本体５の側面に押されて弾性変形される突出片２２が収容される凹部２４が設けられているので、弾性変形された突出片２２が邪魔にならずに外側パッキン２０を欄干本体５の側面に押し付けることができる。これにより、より大きな段差１０の形状に対しても形状に合わせて突出片２２を弾性変形させることができるようになり、欄干本体５の側面と外カバー１８との間の隙間をさらに確実に塞ぐことができる。
【００３０】
実施の形態２．
図１１は、この発明の実施の形態２によるエスカレータの欄干の外側パッキン２０に切れ目が入っている状態を示す上面図である。また、図１２は、図１１の突出片２２の一部がパッキン本体２１から切り離されている状態を示す上面図である。さらに、図１３は図１２のXIII-XIII線に沿った断面図、図１４は図１２のXIV-XIV線に沿った断面図である。
【００３１】
図において、外側パッキン２０の突出片２２には、例えばニッパやカッタ等により、突出片２２とパッキン本体２１との境界部にまで達する切れ目３１が形成可能になっている。また、突出片２２は、パッキン本体２１から離れる方向への力を受けることにより、突出片２２とパッキン本体２１との境界部を基準としてパッキン本体２１から切り離し可能になっている。これにより、突出片２２は、切れ目３１によって区切られた区間で、谷部に沿ってパッキン本体２１から切り離されることとなる。突出片２２がパッキン本体２１から切り離されるときの力の大きさは、通常の作業者でも容易に発生可能な所定の大きさとされている。
【００３２】
図１５は、図１２の外側パッキン２０が欄干本体５の側面と外カバー１８との間の隙間を塞いでいる状態を示す上面図である。また、図１６は図１５のXVI-XVI線に沿った断面図、図１７は図１５のXVII-XVII線に沿った断面図である。図において、突出片２２に形成される切れ目３１の位置は、段差１０の位置に合わせて決められる。境界に段差１０が生じている２つの欄干パネル８の側面のうち、パッキン本体２１に近い側面には、図１７に示すように、パッキン本体２１の側面が接触する。一方、境界に段差１０が生じている２つの欄干パネル８のうち、パッキン本体２１から離れた側面には、図１６に示すように、凹部２４への収容が解除された状態で突出片２２が接触する。内側パッキン１９の構成は、外側パッキン２０の構成と同様である。また、他の構成は実施の形態１と同様である。
【００３３】
このようなエスカレータの欄干では、パッキン本体２１と突出片２２との間の境界部を基準として突出片２２がパッキン本体２１から切り離し可能になっているので、段差１０の位置に合わせて突出片２２をパッキン本体２１から切り離すことにより、外側パッキン２０の形状を段差１０の形状に近づけることができる。従って、欄干本体５の側面と外カバー１８との間の隙間をさらに確実に塞ぐことができる。内側パッキン１９についても、外側パッキン２０の構成と同様であるので、外側パッキン２０と同様の効果を得ることができる。
【００３４】
なお、パッキン本体２１の形状（内側パッキン１９及び外側パッキン２０の長手方向に沿って見たときのパッキン本体２１の形状）は、上記の例に限定されない。例えば、パッキン本体２１の形状を図１８に示すような形状としてもよい。この場合、外側パッキン２０は、図１９に示すように、外カバー１８に取り付けられた状態で欄干本体５の側面に押し付けられる。また、内側パッキン１９は、内カバー１７に取り付けられた状態で欄干本体５の側面に押し付けられる。
【００３５】
また、パッキン本体２１の形状を図２０に示すような形状としてもよい。この場合、内側パッキン１９及び外側パッキン２０は、図２１に示すように、欄干取付装置１１に止め金３５によりそれぞれ取り付けられた状態で欄干本体５の側面にそれぞれ押し付けられる。また、内カバー１７及び外カバー１８は、内側パッキン１９及び外側パッキン２０を欄干取付装置１１に取り付けた後に設置される。
【００３６】
また、各上記実施の形態では、内側パッキン１９及び外側パッキン２０のそれぞれが突出片２２を有する構成となっているが、内側パッキン１９及び外側パッキン２０のうち、段差１０に押し付けられるパッキンについてのみ突出片２２を有する構成としてもよい。
【００３７】
また、各上記実施の形態では、欄干パネル８がガラスにより構成されているが、ガラスに限定されるものではなく、例えばステンレス等により欄干パネル８を構成してもよい。
【００３８】
また、各上記実施の形態では、この発明がエスカレータの欄干に適用されているが、動く歩道の欄干にこの発明を適用してもよい。
【符号の説明】
【００３９】
４  移動手摺、５  欄干本体、６  デッキカバー、７  パッキン、１７  内カバー、１８  外カバー、１９  内側パッキン、２０  外側パッキン、２１  パッキン本体、２２  突出片、２３  凹部。
【図１】
2010228902.tif 000003
【図２】
2010228902.tif 000004
【図３】
2010228902.tif 000005
【図４】
2010228902.tif 000006
【図５】
2010228902.tif 000007
【図６】
2010228902.tif 000008
【図７】
2010228902.tif 000009
【図８】
2010228902.tif 000010
【図９】
2010228902.tif 000011
【図１０】
2010228902.tif 000012
【図１１】
2010228902.tif 000013
【図１２】
2010228902.tif 000014
【図１３】
2010228902.tif 000015
【図１４】
2010228902.tif 000016
【図１５】
2010228902.tif 000017
【図１６】
2010228902.tif 000018
【図１７】
2010228902.tif 000019
【図１８】
2010228902.tif 000020
【図１９】
2010228902.tif 000021
【図２０】
2010228902.tif 000022
【図２１】
2010228902.tif 000023